(57)【要約】【課題】排尿器官を容易に取り出すことが可能な男性用下着を提供する。【解決手段】着用者の排尿器官を覆い、着用者の背筋方向に沿って排尿器官の両側面側に配される第１開口及び第２開口を備える第１編布と、第１編布に配された第１開口及び第２開口を覆い隠すように配される第２編布とを含む排尿器官の取出部を有する男性用下着であって、排尿器官の取出部は、第１編布と第２編布との間に、着用者の腰回りの方向に延びており、第２編布の端部から構成される第３開口を備えており、第１開口又は第２開口と第３開口とは互いに連通しており、第１開口又は第２開口と第３開口とを経て排尿器官を取り出し可能に構成された男性用下着である。【選択図】図１
2018204126.tif 000002
【特許請求の範囲】
【請求項１】
着用者の排尿器官を覆い、着用者の背筋方向に沿って排尿器官の両側面側に配される第１開口及び第２開口を備える第１編布と、
第１編布に配された第１開口及び第２開口を覆い隠すように配される第２編布とを含む排尿器官の取出部を有する男性用下着であって、
排尿器官の取出部は、第１編布と第２編布との間に、着用者の腰回りの方向に延びており、第２編布の端部から構成される第３開口を備えており、
第１開口又は第２開口と第３開口とは互いに連通しており、第１開口又は第２開口と第３開口とを経て排尿器官を取り出し可能に構成された男性用下着。
【請求項２】
第２編布は、編布を折り重ねて構成されたものであり、第２編布の折曲部が第３開口の縁部となっている請求項１に記載の男性用下着。
【請求項３】
第１編布は、着用者の肌側となる内布と外側となる外布とを含む請求項１又は２に記載の男性用下着。
【請求項４】
第１編布は、第１開口を形成する第１凹部と、第２開口を形成する第２凹部を備える形状であり、着用者の肌側となる内布と外側となる外布とから構成されており、
第１凹部及び第２凹部が着用者の背筋方向に沿って縫合されており、その縫合部が二重に構成された第１編布の内側に隠された状態である請求項１ないし３のいずれかに記載の男性用下着。
【請求項５】
排尿器官の取出部に加えて、着用者の臀部を押し上げる伸縮部を備える請求項１ないし４のいずれかに記載の男性用下着。
【請求項６】
伸縮部は、その下端が臀溝の下側にあり、その上端が臀溝の上側にあり、
伸縮部の下端側は、上端側に対して、その伸縮性が強く構成され、
伸縮部の上端側は、下端側に対して、その伸縮性が弱く構成されている請求項５に記載の男性用下着。
【請求項７】
伸縮部の下端側は、着用者の臀溝の下側と正面側の鼠径部とを結ぶように延び、臀溝の下側から鼠径部に向けて上方に傾斜する形状である請求項５又は６に記載の男性用下着。
【請求項８】
外布部と、外布部の内側に配される内布部とをさらに備えており、
外布部及び内布部は、少なくとも着用者の鼠径部と臀裂部を覆い、着用者の脚を通すことができる足ぐりを有する形状である請求項１ないし７のいずれかに記載の男性用下着。
【請求項９】
内布部は、その縫い代が外布部と内布部との間に向くように縫合された状態である請求項８に記載の男性用下着。
【請求項１０】
着用者のみぞおち部分を覆う環状部をさらに備えており、環状部は伸縮性の編布で構成される請求項１ないし９のいずれかに記載の男性用下着。
【請求項１１】
着用者の腰部、及び下腹部を覆う環状体をさらに備えており、環状体は伸縮性の編布で構成される請求項１ないし９のいずれかに記載の男性用下着。
【請求項１２】
第１編布は、着用者腹部を覆う腹当布と、着用者の股を覆う股布とを含み、
腹当布の一端及び股布の一端は、円弧状であって、縫合された状態であり、当該縫合部分が排尿器官を収納する膨出部として機能する請求項１ないし１１のいずれかに記載の男性用下着。
【発明の詳細な説明】
【技術分野】
【０００１】
本発明は、排尿器官を取り出し可能に構成された男性用下着に関する。
【背景技術】
【０００２】
男性の下半身用の下着として、機能性を追求した下着が提案されている。例えば、特許文献１には、第１の前開きと第２の前開きとを有する前身頃と、前身頃の上に配される第１の前立てと、第１の前立ての上に配される第２の前立てとを備える男性用パンツが記載されている。第１の前立ての上辺は、第１の前開きに向けて斜めに開口し、第２の前立ての上辺は、第２の前開きに向けて斜めに開口する。この男性用パンツでは、第１の前立て又は第２の前立てから排尿器官を取り出すことができる。
【０００３】
また、特許文献２の図１０には、表クロッチ布と裏クロッチ布とを備えるパンツが記載されている。このパンツでは、表クロッチ布と裏クロッチ布で尿吸収体を収容するクロッチポケットを形成する。尿吸収体は、着用者の腰回りの方向に開口する表開き口からクロッチポケットに差し込まれる。
【先行技術文献】
【特許文献】
【０００４】
【特許文献１】特許第５０４４０５６号公報
【特許文献２】特許第４０１５６７５号公報
【発明の概要】
【発明が解決しようとする課題】
【０００５】
特許文献１の男性用パンツは、第１の前立てと第２の前立てを備える。第１の前立てと第２の前立ては、上辺が傾斜している。例えば、腹部の出た者がこの男性用パンツを着用すると、第１の前立てと第２の前立てが着用者の腰回りの方向に引っ張られて、第１の前立てと第２の前立ての形状が変形してしまうという問題があった。第１の前立てと第２の前立てが変形すると、手指が引っかかり排尿器官を出し入れする際に手間取ることがあった。
【０００６】
特許文献２のパンツは、特許公報２の明細書に記載されている通り、表開き口は排尿器官の取り出しを目的とするものではない。したがって、着用者が排尿するときは、パンツを排尿器官の位置まで下げなければならず、煩雑であった。着用者がベルトを着用している際には、さらに煩雑となる。
【０００７】
本発明は、排尿器官を容易に取り出すことが可能な男性用下着を提供することを目的とする。
【課題を解決するための手段】
【０００８】
着用者の排尿器官を覆い、着用者の背筋方向に沿って排尿器官の両側面側に配される第１開口及び第２開口を備える第１編布と、第１編布に配された第１開口及び第２開口を覆い隠すように配される第２編布とを含む排尿器官の取出部を有する男性用下着であって、排尿器官の取出部は、第１編布と第２編布との間に、着用者の腰回りの方向に延びており、第２編布の端部から構成される第３開口を備えており、第１開口又は第２開口と第３開口とは互いに連通しており、第１開口又は第２開口と第３開口とを経て排尿器官を取り出し可能に構成された男性用下着によって、上記の課題を解決する。この男性下着では、第３の開口が着用者の腰回りの方向に延びる形状であるため、第１開口又は第２開口に容易にアクセスすることが可能になる。例えば、腹が出た者が着用した場合でも、第３の開口の形状が壊れないため、排尿器官の取り出しに支障をきたすことを防止することができる。
【０００９】
上記の男性用下着において、第２編布は、編布を折り重ねて構成されたものであり、第２編布の折曲部が第３開口の端部となるようにすることが好ましい。これにより、第３開口の端部は、補強され型崩れや糸の解れを防止することができる。
【００１０】
第１編布は、着用者の肌側となる内布と外側となる外布とを含むことが好ましい。このようにすることによって、例えば内布に肌触りのよい編布を使用し、外布に伸縮性の強い編布を使用することが可能になる。
【００１１】
上記の男性用下着において、第１編布は、第１開口を形成する第１凹部と、第２開口を形成する第２凹部を備える形状であり、着用者の肌側となる内布と外側となる外布とから構成されており、第１凹部及び第２凹部が着用者の背筋方向に沿って縫合されており、その縫合部分が二重に構成された第１編布の内側に隠された状態となるようにすることが好ましい。このようにすることによって、内布と外布との縫合部分は、内側に隠された状態となるので、第１凹部又は第２凹部から排尿器官を出し入れする際に、前記縫合部分から解れが生じることを防ぐことができる。
【００１２】
上記の男性用下着において、排尿器官の取出部に加えて、着用者の臀部を押し上げる伸縮部を配することが好ましい。臀部を押し上げることにより、着用者の臀部の形状を補正し美しく見せることができる。
【００１３】
上記の男性用下着において、伸縮部は、その下端が臀溝の下側にあり、その上端が臀溝の上側にあり、伸縮部の下端側は、上端側に対して、その伸縮性が強く、伸縮部の上端側は、下端側に対して、その伸縮性が弱くなるように構成することが好ましい。伸縮部の上端側の伸縮性を比較的に弱くすることによって、伸縮部の下端側によって押し上げられた臀部の分量が自然な状態で上方に移動することが可能になり、ヒップラインを美しい曲線に補正することが可能になる。
【００１４】
上記の男性用下着において、伸縮部の下端側は、着用者の臀溝の下側と正面側の鼠径部とを結ぶように延び、臀溝の下側から鼠径部に向けて上方に傾斜する形状とすることが好ましい。これによって、着用者の臀部を身体の内側に向けて斜め上方に押し上げることが可能になり、着用者の臀部を背面視において略円形状に補正することが可能になる。
【００１５】
上記の男性用下着は、外布部の内側に配される内布部とをさらに備えており、外布部及び内布部は、少なくとも着用者の鼠径部と臀裂部を覆い、着用者の脚を通すことができる足ぐりを有する形状とすることが好ましい。これによって、たとえば、外布部に内布部に比べて伸縮性が強い素材を使用し、内布部に比べて肌触りが良い素材を使用するなど、男性用下着の内と外で素材の使い分けが可能になる。
【００１６】
上記の男性用下着において、内布部は、その縫い代が外布部と内布部との間に向くように縫合された状態とすることが好ましい。このようにすることで、着用者の肌に、縫い代が直接触れないにようにすることが可能になる。
【００１７】
上記の男性用下着において、着用者のみぞおち部分を覆う環状部をさらに備えており、環状部は伸縮性の編布で構成されることが好ましい。このようにすることで着用者のみぞおち部分を締め付けて、上腹部のボディラインを補正することが可能になる。
【００１８】
上記の男性用下着において着用者の腰部、及び下腹部を覆う環状体をさらに備えており、環状体は伸縮性の編布で構成することが好ましい。このようにすることで、着用者の腰部から下腹部を締め付けて、下腹部のボディラインを補正することが可能になる。
【００１９】
第１編布は、着用者腹部を覆う腹当布と、着用者の股を覆う股布とを含み、腹当布の一端及び股布の一端は、円弧状であって、縫合された状態であり、当該縫合部分が排尿器官を収納する膨出部として機能するものとすることが好ましい。このようにすることによって、排尿器官の周辺が窮屈に感じない男性用下着を提供することが可能になる。
【発明の効果】
【００２０】
本発明によれば、排尿器官を容易に取り出すことが可能な男性用下着を提供することが可能になる。
【図面の簡単な説明】
【００２１】
【図１】（ａ）は、一実施形態に係る男性用下着の外側を示す正面図であり、（ｂ）は、前記男性用下着の外側を示す背面図である。
【図２】（ａ）は、図１に示した男性用下着を裏返した状態における正面図であり、（ｂ）は図１に示した男性用下着を裏返した状態における背面図である。
【図３】（ａ）は、排尿器官の取出部を構成する各布を縫合した状態を正面側から見た斜視図であり、（ｂ）は、排尿器官の取出部を構成する股布を下方に折り返し、完成した排尿器官の取出部の状態を正面側から見た斜視図であり、（ｃ）は、完成した排尿器官の取出部を背面側からみた斜視図である。
【図４】（ａ）は、腹当布を構成する内布及び外布を縫合した状態を示す図であり、（ｂ）は、（ａ）で縫合した筒状の腹当布をひっくり返した状態を示す正面図であり、（ｃ）は、股布を構成する内布を示す正面図であり、（ｄ）は、（ｃ）の股布の上に（ｂ）の腹当布を重ねた状態を示す正面図であり、（ｅ）は、前立布を折り重ねた状態を示す正面図であり、（ｆ）は、（ｄ）の股布及び腹当布の上に（ｅ）の前立布を重ねた状態を示す正面図であり、（ｇ）は、股布を構成する外布を示す正面図であり、（ｈ）は、（ｆ）の股布の内布、腹当布、及び前立布の上に股布の外布を重ねて、各部を縫合した状態を示す正面図である。
【図５】（ａ）は、腹当布を構成する外布を示す正面図であり、（ｂ）は、股布を構成する外布の正面図であり、（ｃ）は、折り重ねる前の前立布を示す正面図である。
【図６】（ａ）は、腹当布を構成する内布を示す正面図であり、（ｂ）は、股布を構成する内布の正面図である。
【図７】（ａ）は、外布部を構成する右身頃を外側から見た状態を示す図であり、（ｂ）は、外布部を構成する左身頃の外側から見た状態を示す図である。
【図８】（ａ）は、外布部を構成し、伸縮部を縫い付けた右身頃を内布部に接する側から見た状態を示す図であり、（ｂ）外布部を構成し、伸縮部を縫い付けた左身頃を内布部に接する側から見た状態を示す図であり、（ｃ）は、（ａ）のＫ部の拡大図である。
【図９】（ａ）は、外布部を構成する右身頃に縫い付けられる伸縮部を外布に接する側から見た状態を示す図であり、（ｂ）は、外布部を構成する左身頃に縫い付けられる伸縮部を外布に接する側から見た状態を示す図である。
【図１０】（ａ）は、内布部を構成する右身頃を外布に接する側から見た状態を示す図であり、（ｂ）は、内布部を構成する左身頃を外布に接する側から見た状態を示す図である。
【図１１】（ａ）は、内布部を構成する右身頃を外布に接する側から見た状態を示す図であり、（ｂ）は、内布部を構成する左身頃を外布に接する側から見た状態を示す図であり、（ｃ）は（ａ）におけるＬ部の拡大図である。
【図１２】（ａ）は、外布部を構成する右身頃の上に排尿器官の取出部を重ねた状態を示す図であり、（ｂ）はその上にさらに内布部を構成する右見頃を重ねた状態を示す図である。
【図１３】（ａ）は、外布部を構成する右身頃、排尿器官の取出部、内布部を構成する右見頃の順に重ねた状態を示す図であり、（ｂ）は、外布部を構成する右身頃、排尿器官の取出部、内布部を構成する右見頃の順に重ねたものを縫合した状態を示す図である。
【図１４】図１３（ｂ）における矢印方向に外布部を構成する右身頃と、内布部を構成する右身頃とを折り返し、さらに外布部を構成する左身頃と内布部を構成する左身頃とを縫合した状態を示す図である。
【図１５】図１４における、外布部の右身頃と、外布部の左身頃とを縫合し、内布部の右身頃と、内布部の左身頃とを縫合した状態を示す図である。
【図１６】図１５において、未縫合であった股部分を、縫合した状態を示す図である。
【図１７】（ａ）は、図１の下着の第３開口に手を入れた状態を示す正面図であり、（ｂ）は、（ａ）の状態を肌側から見た状態を示す図である。
【図１８】（ａ）は、第２実施形態に係る下着を裏返した状態における正面図であり、（ｂ）は、第２実施形態に係る下着を裏返した状態における背面図である。
【図１９】（ａ）は、第３実施形態に係る下着の外側を示す正面図であり、（ｂ）は第３実施形態に係る下着の外側を示す背面図である。
【図２０】縫製前の環状部を示す図である。
【図２１】縫製後の環状部を示す図である。
【図２２】（ａ）は、第４実施形態に係る下着の外側を示す正面図であり、（ｂ）は、第４実施形態に係る下着の外側を示す背面図である。
【図２３】縫製前の環状体を示す図である。
【図２４】（ａ）は、伸縮部によるヒップアップ効果を示す背面図であり、（ｂ）は、その側面図である。
【発明を実施するための形態】
【００２２】
以下、図面を参照して、本発明の第１実施形態から第４実施形態に係る男性用下着について説明する。以下に示す実施形態は、本発明の構成例に過ぎず本発明の技術的範囲は以下の実施形態に限定されるものではない。
【００２３】
［第１実施形態］
図１及び図２に第１実施形態に係る男性用下着１（以下、単に下着と称する。）を示す。本実施形態の下着１は、図３に示したように、着用者の排尿器官を覆い、着用者の背筋方向に沿って排尿器官の両側面側に配される第１開口１１１及び第２開口１１２を備える第１編布１１と、第１編布に配された第１開口１１１及び第２開口１１２を覆い隠すように配される第２編布１２とを含む排尿器官の取出部１３を有する。排尿器官の取出部１３は、図１及び図３に示したように、着用者の腰回りの方向に延びており、第１編布１１と第２編布１２との間に第２編布１２の端部から構成される第３開口１２１を備えている。第１開口１１１又は第２開口１１２と、第３開口１２１とは互いに連通しており、後述する図１７に示したように、第１開口１１１又は第２開口１１２と第３開口１２１とを経て排尿器官を取り出すことが可能である。
【００２４】
図３に示したように、本実施形態の下着１では、第１編布１１は、腹当布１１３と、股布１１４とを含む。そして、第２編布１２は、前立布１２２を含む。より具体的には、第１編布１１（腹当布１１３）は、着用者の肌側となる内布１１３ａと、外側となる外布１１３ｂとを含む。股布１１４は、着用者の肌側となる内布１１４ａと、外側となる股布１１４の外布１１４ｂとを含む。第２編布１２（前立布１２２）は、図４（ｅ）に示したように、編布を折り重ねて構成されており、第２編布１２（前立布１２２）の折曲部１２３が第３開口１２１の端部となっている。
【００２５】
本実施形態の下着１では、腹当布１１３の内布１１３ａと、股布１１４の内布１１４ａとを外布１１３ｂ、１１４ｂに比べて編目の小さい緻密な編物から構成している。このため、着用者が下着１を着用した際に下着１の肌触りが軟らかくなるようになっている。一方、前立布１２２と、腹当布１１３の外布１１３ｂと、股布１１４の外布１１４ｂとは、内布１１３ａ、１１４ａに比べて伸縮性が強い編布から構成している。このため、着用者が下着１を着用した際に身体を引き締めて、弛んだ身体を引き締める補正下着として機能するようになっている。上述の通り、内布１１３ａ、１１４ａは柔軟性に富む編布から構成されているため、外布１１３ｂ、１１４ｂで身体を締め付けても、着心地が悪化することを防ぐことが可能となっている。
【００２６】
上述の通り、本実施形態の下着１では、前立布１２２を腹当布１１３等の内布１１３ａ、１１４ａに比べて伸縮性が強い編布で構成し、着用者の弛んだ身体を引き締める補正下着としての機能を持たせている。前立布１２２には張力が掛かった状態であるため、図１７に示したように、手指を出し入れする際に第３開口１２１の端部に手指の爪やささくれなどが引っかかるなどして第３開口１２１の端部から解れが生じやすくなる。しかしながら、図４（ｅ）に示したように、第３開口１２１の端部は折曲部１２３となっており補強されているので、第３開口１２１の端部から解れが生じることを防ぐことが可能になる。補正下着としての機能を持たせた場合は、第３開口１２１の端部が着用者の腹部に強く当たる。上述の通り、第３開口１２１の端部は折曲部１２３となっており、縫合部となっていない。このため、着用者の腹部に端部の縫合部が強く当たることによって着心地が損なわれることを防ぐことができる。
【００２７】
本実施形態の下着１では、第２編布１２を２重に構成している。このため、例えば、図１７に示したように、右手又は左手の全体を第３開口１２１の内側に入れて排尿器官を出し入れしたとしても、第２編布１２の型崩れを防ぐことが可能である。
【００２８】
排尿器官の取出部１３の構造を図４に示した縫製手順を参照して説明する。まず、図４（ａ）に示したように、図５（ａ）に示した腹当布１１３を構成する外布１１３ｂと、図６（ａ）に示した内布１１３ａとを重ねる。内布１１３ａ及び外布１１３ｂは、互いに略同形であり、略方形状であり、下側の一端が円弧部Ａ１となっており、上側の他端Ｂ１は略直線状になっている。左右の端部１１３ｃ、１１３ｄの中ほどから一端側に向かって第１凹部１１５と第２凹部１１６とが配される。第１凹部１１５及び第２凹部１１６は、腹当布１１３の端部が内側に窪んだ形状となっている。第１凹部１１５及び第２凹部１１６は、それぞれ第１開口１１１、及び第２開口１１２として機能する。なお、図４、図５及び図６、並びに後述する図２０、図２１、図２２及び図２３における二点鎖線は、対称線を示し、それぞれの布は二点鎖線を軸として左右方向に略対称な形状である。
【００２９】
図４（ａ）に記載したように、腹当布１１３の内布１１３ａと外布１１３ｂとを重ねた状態で着用者の背丈方向に沿って第１凹部１１５と第２凹部１１６とをかがり縫いによって縫合し筒状にする。図４（ａ）において矢印で示した方向に、筒状の腹当布を構成する内布１１３ａと外布１１３ｂとをひっくり返して、縫合部１１３ｃ、１１３ｄを第１編布１１（腹当布１１３）の内側に隠し、図４（ｂ）のような状態とする。
【００３０】
本実施形態の下着１では、腹当布１１３の外布１１３ｂ及び前立布１２２を腹当布１１３の内布１１３ａに比べて伸縮性が強い編布で構成し、着用者の弛んだ身体を引き締める補正下着としての機能を持たせている。前立布１２２には張力が掛かった状態であるため、図１７に示したように、手指を出し入れする際に第１開口１１１又は第２開口１１２の端部に手指の爪やささくれなどが引っかかるなどして第１開口１１１又は第２開口１１２の端部から解れが生じやすくなる。しかしながら、上述の通り、第１開口１１１及び第２開口１１２の縫合部１１３ｃ、１１３ｄは内側に隠された状態となっているので、第１開口１１１又は第２開口１１２の端部から解れが生じることを防ぐことが可能になる。
【００３１】
次に、図４（ｃ）、及び図６（ｂ）に示した股布１１４を構成する内布１１４ａに対して図４（ｂ）の筒状の腹当布１１３を重ねて、図４（ｄ）に示したように筒状の腹当布１１３の一端側の円弧部Ａ１と股布１１４を構成する内布１１４ａの一端側に配された円弧部Ａ３がほぼ一致するようにする。股布１１４を構成する内布１１４ａ及び外布１１４ｂは、互いに略同形状であり、それぞれの上下方向における他端Ｂ２、Ｂ３に対して上下方向における一端Ａ２、Ａ３が幅広であり、それぞれの一端Ａ２、Ａ３が腹当布１１３の一端Ａ１に配した円弧部Ａ１と同程度の曲率である円弧状であり、全体としては略短冊状である。
【００３２】
図５及び図６に示したように、前立布１２２の一端Ａ４と他端Ａ５の形状は、腹当布１１３を構成する内布１１３ａ及び外布１１３ｂの円弧部Ａ１並びに股布１１４を構成する内布１１４ａ及び外布１１４ｂの円弧部Ａ２、Ａ３と同程度の曲率である円弧状であり、全体としては略短冊状である。前立布１２２は、図４（ｅ）に示したように、一端と他端との円弧部Ａ４、Ａ５がほぼ一致するように折り重ねて、折曲部１２３を形成する。図４（ｄ）で準備しておいた、筒状にした腹当布１１３の円弧部Ａ１と、股布１１４を構成する内布１１４ａの円弧部Ａ３とが一致するように重ねたものの円弧部Ａ１、Ａ３に対して折曲部１２３を形成した前立布１２２の円弧部Ａ４、Ａ５がほぼ一致するように重ねて図４（ｆ）の状態とする。
【００３３】
股布１１４を構成する内布１１４ａの円弧部Ａ３と、筒状とした腹当布１１３の円弧部Ａ１と、前立布１２２の円弧部Ａ４、Ａ５とがほぼ一致するように重ねたものの円弧部Ａ１、Ａ３、Ａ４、Ａ５に対して股布１１４を構成する外布１１４ｂの円弧部Ａ２がほぼ一致するように重ねる。そして、股布１１４を構成する内布１１４ａの円弧部Ａ３と、筒状の腹当布１１３の円弧部Ａ１と、前立布１２２の円弧部Ａ４、Ａ５と、股布１１４を構成する外布１１４ｂの円弧部Ａ２とを円弧形状に沿ってかがり縫いして図４（ｈ）の状態とする。
【００３４】
次いで、股布１１４を構成する外布１１４ｂと内布１１４ａとを図３（ａ）において矢印で示したように折り返して、股布１１４の内布１１４ａと外布１１４ｂとを重ね合わせて、図３（ｂ）及び（ｃ）の状態とする。上述の通り、腹当布１１３の一端、前立布１２２の一端及び他端、並びにそれぞれの股布１１４の一端は、円弧部Ａ１、Ａ２、Ａ３、Ａ４、Ａ５となっているため、腹当布１１３と股布１１４との縫合部分には、図３（ｂ）に示したように、略円錐状に膨らんだ膨出部１３１が形成される。この膨出部１３１は、排尿器官を収納する空間として機能する。なお、図１（ａ）及び図２（ａ）等において、膨出部１３１は、複数本の破線で示した。
【００３５】
上述の通り、本実施形態の下着１は膨出部１３１を有する。このため、外布１１４ｂ、１１３ｂ、及び／又は前立布１２２を伸縮性が強い編布で構成し、着用者の身体を締め付けた場合において、排尿器官の周辺が窮屈になることを防ぐことができる。
【００３６】
上述の通り、円弧部Ａ１、Ａ２、Ａ３、Ａ４、Ａ５を互いに縫合した後、股布１１４を構成する内布１１４ａと外布１１４ｂとを図３（ａ）において矢印で示したように折り返す。このため、縫合部分が内布１１４ａと外布１１４ｂとの間に隠される。これによって、縫合部分が着用者の身体に直接に接触することを防ぐことが可能にし、下着１の着け心地を向上させることが可能になる。
【００３７】
本実施形態の下着１は、図１及び図２に示したように、排尿器官の取出部１３に加えて、外布部１４と、外布部１４の内側に配される内布部１５とをさらに備えている。外布部１４及び内布部１５は、図１、図２、及び図２４を照らし合わせれば明らかなように、少なくとも着用者の鼠径部９１と臀裂部９２を覆い、着用者の脚９３を通すことができる足ぐりを有する形状である。より具体的には、内布部１５は、ボクサーブリーフ型の内衣であり、外布部１４は、内衣よりもやや丈の長く、膝上丈のスパッツ型の外衣である。
【００３８】
内布部１５の構成は、例えば、ボクサーブリーフ型、ブリーフ型など任意の構成にすることができる。外布部１４は、例えば、スパッツ型など内布部１５よりも丈が長いもの又は内布部１５と丈が同じものとして構成することができる。
【００３９】
図１に示したように、外布部１４は、右身頃１４１と、左身頃１４２とを含む。右身頃１４１と左身頃１４２とは、それぞれ、筒状であり、着用者の右脚又は左脚を通すことができる足ぐりを構成する。図２に示したように、内布部１５も同様に、右身頃１５１と左身頃１５２とを含む。右身頃１５１と左身頃１５２とは、それぞれ、筒状であり、着用者の右脚又は左脚を通すことができる足ぐりを構成する。
【００４０】
図２に示したように、筒状の右身頃１４１及び左身頃１４２からなる外布部１４の内側に、筒状の右身頃１５１及び左身頃１５２からなる内布部１５が収納された状態となっている。すなわち、本実施形態の下着は、丈の長い外衣の内側に丈の短い内衣が内蔵された二重構造となっている。
【００４１】
以下、外布部１４について説明する。図１（ｂ）及び図７（a）に示したように、外布部１４の右身頃１４１は左端Ｃに、左身頃１４２の右端Ｅとの縫合部Ｃ１と、股布１１４の他端Ｂ２、Ｂ３との縫合部Ｃ２と、右身頃１４１の右端Ｄとの縫合部Ｃ３を有する。図１（ｂ）及び図２４に示したように、縫合部Ｃ１は着用者の臀裂部９２に沿って、背筋方向に延びる。縫合部Ｃ２は、縫合部Ｃ１の下端から着用者の腰回り方向に延びる。縫合部Ｃ３は、縫合部Ｃ２の端部から着用者の背筋方向に沿って下方に延びる。なお、図７における破線は、後述する伸縮部１７の位置を示し、一点鎖線は、後述する内布部１５の裾の位置を示す。
【００４２】
図１（a）及び図７（a）に示したように、外布部１４の右身頃１４１は右端Ｄに、排尿器官の取出部１３との縫合部Ｄ１と、右身頃１４１の左端Ｃとの縫合部Ｄ３とを有する。後述するように排尿器官の取出部１３との縫合部Ｄ１の下方には、余部Ｄ２が配される。図１（a）に示したように、縫合部Ｄ１は、着用者の正面側において背丈方向に沿って下方に延び、排尿器官側にカーブして着用者の背面側に至り、縫合部Ｃ２と接続する。
【００４３】
図１（ｂ）及び図７（ｂ）に示したように、外布部１４の左身頃１４２は右端Ｅに、右身頃１４１の左端Ｃとの縫合部Ｅ１と、股布１１４の他端Ｂ２、Ｂ３との縫合部Ｅ２と、左身頃１４２の左端Ｆとの縫合部Ｅ３を有する。図１（ｂ）及び図２４に示したように、縫合部Ｅ１は着用者の臀裂部９２に沿って、背筋方向に延びる。縫合部Ｅ２は、縫合部Ｅ１の下端部から着用者の腰回り方向に延びる。縫合部Ｅ３は、縫合部Ｅ２の端部から着用者の背筋方向に沿って下方に延びる。
【００４４】
図１（a）及び図７（a）に示したように、外布部１４の左身頃１４２は左端Ｆに、排尿器官の取出部１３との縫合部Ｆ１と、左身頃１４２の右端Ｅとの縫合部Ｆ３とを有する。後述するように排尿器官の取出部１３との縫合部Ｆ１の下方には、余部Ｆ２が配される。図１（a）に示したように、縫合部Ｆ１は、着用者の正面側において背丈方向に沿って下方に延び、排尿器官側にカーブして着用者の背面側に至り、縫合部Ｅ２と接続する。
【００４５】
図１及び図４に示したように、右身頃１４１及び左身頃１４２の上端は、着用者の腰部を覆う環状弾性材１６と縫い合わされる。そして、右身頃１４１及び左身頃１４２の下端は、下着１の裾を構成する。裾は、右身頃１４１及び左身頃１４２の端部を折り返して縫われている。
【００４６】
本実施形態の下着１では、図８に示したように、外布部１４の裏側（肌側）に着用者の臀部９４を押し上げる伸縮部１７が縫着されている。伸縮部１７は、外布部１４を構成する右身頃１４１及び左身頃１４２の両方に設けられる。伸縮部１７は、外布部１４の右身頃１４１又は左身頃１４２に対してその上端側及び下端側で、図８（ｃ）に示したように、３点千鳥ミシンによって、ジグザグに縫合されている。このため、外布部１４及び伸縮部１７が延びた際に縫合部分の糸が伸びやすく、糸が切れたり、編布が破れにくくなっている。
【００４７】
伸縮部１７は、外布部１４における着用者の肌側に縫着される。後述するように、外布部１７の内側には、内布部１５が内蔵される。したがって、伸縮部１７は、外布部１４と内布部１５の間に隠された状態となる。伸縮部１７は下着１の外側に表れないため、摩擦等に外力によって、その端部が破れたり、解れたりすることを防ぐことができる。
【００４８】
図１（ｂ）及び図２４に示したように、伸縮部１７は、その下端が着用者の臀溝９５の下側に位置し、その上端が臀溝９５の上側に位置する形状である。具体的には、図２４に示したように、伸縮部１７の下端側の形状は、着用者の臀溝９５の下側と、着用者の正面側の鼠径部９１とを結ぶように延びており、臀溝９５の下側から鼠径部９１に向けて上方に傾斜する形状である。
【００４９】
伸縮部１７を構成する編布は、編布の縦方向及び横方向のいずれか一方の方向に対して伸縮性が強く、残りの他方の方向に対しては、前記一方の方向に対する伸縮性に比べて伸縮性が弱い編布を使用している。図９において双方向の矢印で示したように、伸縮部１７の下端が延びる方向に沿って強い伸縮性が得られるように編布を裁断している。
【００５０】
一方、伸縮部１７の上端は、図９及び図２４に示したように、着用者の臀溝９５の上側を凹曲線を描いて着用者の腰部の側面に至るまで延びる形状となっている。伸縮部１７の下端の曲率に対して、伸縮部１７の上端の曲率は大きくなる形状である。これによって、伸縮部１７の上端側では、下端側に比べて伸縮性が弱くなり、締め付け力が比較的に小さくなる。
【００５１】
上述の通り、本実施形態の下着１は、着用者の臀部９４を押し上げる伸縮部１７を備えているため、着用者の臀部９４を押し上げて、着用者のヒップラインを美しく見せることができる。
【００５２】
また、上述の通り、本実施形態の下着では、伸縮部１７の下端側は上端側に対して伸縮性が強くなるように構成され、伸縮部の上端側は下端側に対して伸縮性が弱くなるように構成されている。これによって、２４（ｂ）に小さな矢印で示したように、伸縮部１７の下端側で着用者の臀部９４の分量を押し上げつつ、伸縮部１７の上端側で臀部９４を強く押えすぎることを防ぐことが可能になる。これによって、伸縮部１７の上端によって臀部９４の分量の移動が分断されることを防いで、伸縮部１７の上端側で臀部９４の分量が伸縮部１７の上側に自然に移動することが可能なるため、着用者のヒップラインをより美しく見せることが可能になる。
【００５３】
また、上記の通り、本実施形態の下着１では、伸縮部１７の下端側は、着用者の臀溝９５の下側と正面側の鼠径部９１とを結ぶように延び、臀溝９５の下側から鼠径部９１に向けて斜め上方に傾斜する形状となっている。これによって、図２４（ａ）において矢印で示したように、着用者の臀部９４を身体の内側に向けて斜め上方に押し上げることが可能になり、着用者の臀部９４を背面視において略円形状に補正し、着用者のヒップラインをより美しく見せることが可能になる。
【００５４】
次に、内布部１５について説明する。内布部１５の構成は、上端から下端に至る長さ、すなわち丈が異なる点を除いては、基本的外布部１４と同じ構成である。
【００５５】
すなわち、図２（ｂ）及び図１０（a）に示したように、内布部１５の右身頃１５１は左端（左右方向における一端）Ｇに、左身頃１５２の右端（左右方向における他端）Ｉとの縫合部Ｇ１と、股布１１４の他端Ｂ２、Ｂ３との縫合部Ｇ２と、右身頃１５１の右端Ｈとの縫合部Ｇ３を有する。図２（ｂ）及び図２４に示したように、縫合部Ｇ１は着用者の臀裂部９２に沿って、背筋方向に延びる。縫合部Ｇ２は、縫合部Ｇ１の下端から着用者の腰回り方向に延びる。縫合部Ｇ３は、縫合部Ｇ２の端部から着用者の背筋方向に沿って下方に延びる。
【００５６】
図２（a）及び図１０（a）に示したように、内布部１５の右身頃１５１は右端Ｈに、排尿器官の取出部１３との縫合部Ｈ１と、右身頃の左端Ｇとの縫合部Ｈ３とを有する。後述するように排尿器官の取出部１３との縫合部Ｈ１の下方には、余部Ｈ２が配される。図２（a）に示したように、縫合部Ｈ１は、着用者の正面側において背丈方向に沿って下方に延び、排尿器官側にカーブして着用者の背面側に至り、縫合部Ｇ２と接続する。
【００５７】
図２（ｂ）及び図１０（ｂ）に示したように、内布部１５の左身頃１５２は右端Ｉに、右身頃１５１の左端Ｇとの縫合部Ｉ１と、股布１１４の他端Ｂ２、Ｂ３との縫合部Ｉ２と、左身頃の左端Ｊとの縫合部Ｉ３を有する。図２（ａ）に示したように、縫合部Ｉ１は着用者の臀裂部９２に沿って、背筋方向に延びる。縫合部Ｉ２は、縫合部Ｉ１の下端から着用者の腰回り方向に延びる。縫合部Ｉ３は、縫合部Ｉ２の端部から着用者の背筋方向に沿って下方に延びる。
【００５８】
図２（a）及び図１０（ｂ）に示したように、内布部１５の左身頃１５２は左端（左右方向における一端）Ｊに、排尿器官の取出部１３との縫合部Ｊ１と、左身頃１５２の右端（左右方向における他端）Ｉとの縫合部Ｊ３とを有する。後述するように排尿器官の取出部１３との縫合部Ｊ１の下方には、余部Ｊ２が配される。図２（a）及び図２４に示したように、縫合部Ｊ１は、着用者の正面側において背丈方向に沿って下方に延び、排尿器官側にカーブして着用者の背面側に至り、縫合部Ｉ２と接続する。
【００５９】
内布部１５の右身頃１５１及び左身頃１５２の下端は、折り返すことなく、図１１に示したように、裁った編布の端部を２本針のオーバーロックミシンで端縢縫いされている。編布を折り返すことなく編布の端部を解れにくいように処理しているため、下着を着用した際に、編布の折り返し部分が着用者の身体を圧迫し難い。しかも、端縢縫いされた糸は、編布が伸びても切れにくいので好ましい。なお、内布部１５の右身頃１５１及び左身頃１５２の上端は、後述するように、着用者の腰部を覆う環状弾性材１６に縫合される。
【００６０】
次に、外布部１４と内布部１５の構造を図１２ないし図１６に示した縫製手順を参照して説明する。以下では外布部１４を構成する右身頃１４１と、内布部１５を構成する右布部１５１と、上記図１３で得た排尿器官の取出部１３を縫合する手順を例にして説明する。
【００６１】
図１２に示したように、外布部１４を構成する右身頃１４１の縫合部Ｄ１の上端と、図３で得た排尿器官の取出部１３の右端の上部と、内布部１５を構成する右身頃１５１の縫合部Ｈ１の上端とがほぼ一致するように、それぞれの布を重ね合わせる。
【００６２】
外布部１４を構成する右身頃１４１は、図１２に示したように、排尿器官の取出部１３の右端から外方向に突出する余部Ｄ２を備える。同様に、内布部１５を構成する右身頃１５１も、図１４に排尿器官の右端から外方向に突出する余部Ｈ２を備える。
【００６３】
図１３（a）及び（ｂ）に示したように、上記の余部Ｄ２、Ｈ２の上端が排尿器官の取出部１３の右端とほぼ一致するように重ね合わせて、排尿器官の取出部１３の右端と、外布部１４の右身頃１４１の縫合部Ｄ１及び余部Ｄ２と、内布部１５の右身頃１５１の縫合部Ｈ１及び余部Ｈ２とを端縢縫いで縫合する。そして、外布部１４の右身頃１４１と内布部１５の右身頃１５１を、図１３（ｂ）に矢印で示したように、排尿器官の取出部１３の右側に折り返す。なお、図１５においては各布の位置関係を理解しやすくするために、排尿器官の取出部１３及び内布部１５の右身頃１５１は、外布部１４の右身頃１４１から多少ずらした状態で示している。
【００６４】
外布部１４を構成する左身頃１４２と、内布部１５を構成する左身頃１５２と、排尿器官の取出部１３の縫合方法については、図１３（ａ）及び図１３（ｂ）で示した外布部の右身頃１４１及び内布部の右身頃１５１を左右に反転させた位置関係で行うため、図示は省略する。すなわち、外布部１４を構成する左身頃１４２の縫合部Ｆ１（図７）の上端と、排尿器官の取出部１３の左端の上部と、内布部１５を構成する左身頃１５２の縫合部Ｊ１の上端とがほぼ一致するように、それぞれの編布を重ね合わせて縫合する。そうすると図１４に示した状態となる。
【００６５】
図１４において矢印で示したように、内布部１５の右身頃１５１の縫合部Ｇ１と、内布部１５の左身頃１５２の縫合部Ｉ１とを合わせて、二本針のオーバーロックミシンで端縢縫いして縫合する。同様に、外布部１４の右身頃１４１の縫合部Ｃ１と、外布部１４の左身頃１４２の縫合部Ｅ１とを合わせて、二本針のオーバーロックミシンで端縢縫いして縫合する。そうすると、図１５に示す、筒状の内布部１５と筒状の外布部１４とが排尿器官の取出部１３を介して連結された状態となる。
【００６６】
図１５に示したように、外布部１４の右身頃１４１の縫合部Ｃ３及び縫合部Ｄ３と、内布部１５の右身頃１５１の縫合部Ｈ３及びＧ３とを縫合し；外布部１４の右身頃１４１の縫合部Ｃ２と、内布部１５の右身頃１５１の縫合部Ｇ２と、外布部１４の左身頃１４２の縫合部Ｅ２と、内布部１５の左身頃１５２の縫合部Ｉ２と、股布１１の他端Ｂ２及びＢ３とを縫合し；外布部１４の左身頃１４２の縫合部Ｅ３及びＦ３と、内布部１４の左身頃１４２の縫合部Ｉ３及びＪ３とを縫合する。そうすると、図１６に示した状態となる。
【００６７】
図１６において矢印で示したように、内布部１５の縫合部Ｇ１、Ｉ１を外側にひっくり返し、外布部１４の縫合部Ｃ１、Ｅ１を外側にひっくり返すことで、図１及び図２に示したように、外布部１４の足ぐりに対して内布部１５の足ぐりが内蔵された状態となる。内布部１５、外布部１４、及び排尿器官の取出部１３の上端を上述の環状弾性材１６に縫合し、図１（ａ）及び図１（ｂ）に示す右身頃１４１及び左身頃１４２の下端を折り返して縫い上げ裾を構成すると、下着１が完成する。
【００６８】
内布部１５及び外布部１４を図１６において矢印で示したようにひっくり返した状態では、図２に示したように、縫い代が内布部１５と外布部１４との間に隠された状態となる。本実施形態の下着１では、縫合部Ｇ１、Ｉ１、Ｉ２、Ｇ２、Ｉ３、Ｇ３、Ｊ３、Ｈ３、Ｄ１、Ｄ２、Ｆ１、Ｆ２、Ｈ１、Ｈ２、Ｊ１、及びＪ２が隠された状態となる。すなわち、本実施形態の下着１では、外布部１４の右身頃１４１を筒状にするための縫合部Ｃ３、Ｄ３と、外布部１４の左身頃１４２を筒状にするための縫合部Ｅ３、Ｆ３を除いて、全ての縫合線が内布部１５に隠された状態となるため、下着１をつけたときの着心地が良好である。外布部１４の伸縮性を内布部１５に対して強くして、補正用下着として構成した場合でも、縫い代が直接に着用者の身体に触れない。このため、補正用下着として構成しても、着心地は良好である。
【００６９】
また、内布部１５は、外布部１４に比べて編目の小さい緻密な編布から構成されており、外布部１４は、内布部１５に比べて伸縮性の強い編布から構成している。着用者が下着１を着用した際に内布部１５が肌に当たるため、肌触りが軟らかくなるようになっている。一方、外布部１４は、着用者が下着１を着用した際に身体を引き締めて、弛んだ身体を引き締めることができるようになっている。上述の通り、内布部１５は柔軟性に富む編布から構成されているため、外布部１４で身体を締め付けることによる着心地の悪化を防ぐことが可能となっている。
【００７０】
図１７に示したように、第３開口１２１は、着用者の腰回りの方向に延びている。第３開口１２１には、着用者から見て上方から手指をれることができるため、排尿器官を取り出しやすい。外布部１４及び内布部１５は伸縮性に富む編布から構成されている。このため、手指を第３開口に挿入すると、図１７（ａ）において矢印で示したように、外布部１４及び内布部１５が伸長して第３開口に指を入れやすくなる。手指を第３開口から抜くと外布部１４及び内布部１５が収縮して元に戻る。
【００７１】
本実施形態の下着１は、図１７（ｂ）に示した通り、第１開口１１１及び第２開口１１２を右側と左側のに備えているので、着用者の好みの開口から排尿器官を取り出することができる。
【００７２】
本実施形態の下着１では、着用者の身体に接触し、比較的に伸縮性が弱い編布は、異形断面のフィラメント糸を使用した編物から構成されている。このため、吸水性に優れており、ある程度の伸縮性を備えており、しかも蒸れにくい。異形断面のフィラメント糸は、例えば、ポリエルテルなどの合成樹脂から構成することが好ましい。
【００７３】
着用者の身体の外側に配され、着用者の身体には接触せず、比較的に伸縮性が強い編布は、ポリウレタンなどのエラストマーと、ポリエステルなどの伸縮性に乏しい合成樹脂材料とから構成される芯鞘繊維を使用した編物から構成されている。これによって、比較的に強い伸縮性を発揮する。
【００７４】
［第２実施形態］
図１８に第２実施形態に係る下着２を裏返した状態を示す。本実施形態の下着２は、上記の下着１における内布部１５を備えない点、及び外布部１４は比較的に伸縮性の弱い編布で構成されている点で、上記の下着１とは異なる。なお、腹当布１１３、股布１１４、前立布１２２は、図３に示したのと同じ２重構造となっており、その点では上記の実施形態に係る下着１と同様である（後述の第３実施形態に係る下着、及び第４実施形態に係る下着において同じ。）。
【００７５】
本実施形態の下着２では、外布部１４の伸縮性が比較的に弱く、着用者の身体を強く締め上げないので、内布部１５を省いている。外布部１４と前立布１２２との縫合線や伸縮部１７と外布部１４との縫合線が着用者の肌に直接に接触するものの、外布部１４の伸縮性が比較的に弱いので、縫着線が着用者の身体に強く接触することを防ぐことができる。本実施形態の下着２では、内布部１５を縫い合わせる手順を省略することができるので、より容易に下着を縫製することが可能になる。
【００７６】
［第３実施形態］
図１９に第３実施形態に係る下着３を示す。本実施形態の下着３は、着用者の腰部９６、及び下腹部９７を覆う環状部１８を備える点で上記の下着１とは異なる。図１９に示したように、環状部１８は、図１において、２点鎖線を引いた領域より上に設けられる。具体的には、着用者の下腹部９７が位置する第３開口１２１の上の部分が、内布部１５、外布部１４、及び排尿器官の取出部１３の上端部となっている。この上端部に、環状部１８の下端部が縫着される。本実施形態の下着３では、環状部１８が着用者の腰部９６を締めるため、腰部９６を覆う環状弾性帯１６は省略されている。
【００７７】
環状部１８は、図２０に破線で示したように、伸縮性を有する帯状の編布を中ほどで折り重ねて、図２１に示したように、両端部分を縫合して、環状かつ帯状にした部材である。上端部分では、伸縮性を有する編布が２枚、山折りされているため、着用者の腰部９６を下端部分に比べてより強く締め付けることができる。
【００７８】
環状部１８を設けることによって、図１９に示すように、着用者の腰部９６を締めて、腰痛を緩和したり、姿勢を矯正することが可能になる。また、環状部１８を設けることによって、着用者の下腹部９７を締めて、出っ張った下腹部９７を美しく補正することが可能になる。
【００７９】
環状部１８は、編物や天然ゴム又は合成ゴムなどのエラストマーを編み込んだ編布などから構成することができる。上述の芯鞘繊維を使用した編物で構成してもよい。
【００８０】
［第４実施形態］
図２２に第４実施形態に係る下着４を示す。本実施形態の下着４は、着用者のみぞおち部分９８を覆う環状体１９を備える点で上記の下着１とは異なる。図２２に示したように、環状弾性帯１６の上端部に、着用者の腰部９６からみぞおち部分９８、より具体的にはみぞおちの上部を覆う環状体１９の下端部が縫着される。
【００８１】
環状部１９は、図２３に破線で示したように、伸縮性を有する帯状の編布を中ほどで折り重ねて、両端部分を縫合して、環状かつ帯状にした部材である。上端部分では、伸縮性を有する編布が２枚、山折りされているため、着用者のみぞおちの上部を比較的に強めに締め付けることができる。みぞおちの上部には胸骨の下端が隣接しており、肥満の度合いが進むと胸骨の下端部から着用者の腹の上部が突出する。本実施形態の下着４では、環状体１９を設けることによって、腹部の突出の起点となるみぞおちの上部を強めに締め付けることによって、着用者の腹部のラインを引き締めて美しく補正することが可能になる。また、腹部が突出する起点よりも下に環状体１９の上端が位置すると、環状体１９がずり落ちる原因となる。本実施形態の下着では、腹部が突出する起点であるみぞおちの上部よりも上に環状体１９の上端が位置するようになっているので環状体１９がずり落ちることを防止することが可能になる。
【００８２】
環状体１９は、編物や天然ゴム又は合成ゴムなどのエラストマーを編み込んだ編布などから構成することができる。上述の芯鞘繊維を使用した編物で構成してもよい。
【００８３】
上記実施形態に係る下着１等では、第１編布１１は、外布部１４とは別の布で構成されている。第１編布１１は、外布部１１と一体の布から構成してもよいし、第１編布１１の腹当布１１３と股布１１４とは一体に構成してもよい。また、排尿器官の取出部１３は外布部１１と一体に構成してもよい。また、上記実施形態に係る下着１等では、第２編布１２が前立布１２２から構成されている。第２編布１２は、前立布１２２と股布１１４の外布１１４ａとを一体に構成してもよい。
【符号の説明】
【００８４】
１        男性用下着
２        男性用下着（第２実施形態）
３        男性用下着（第３実施形態）
４        男性用下着（第４実施形態）
１１      第１編布
１１１    第１開口
１１２    第２開口
１２      第２編布
１２１    第３開口
１２３    折曲部
１３      排尿器官の取出部
１１３ａ  内布
１１３ｂ  外布
１１５    第１凹部
１１６    第２凹部
１６      環状弾性帯（ウエストゴム）
１７      伸縮部
１４      外布部
１５      内布部
１８      環状部
１９      環状体
１１３    腹当布
１１４    股布
１３１    膨出部
９５      臀溝
９１      鼠径部
９２      臀裂部
９３      着用者の脚
９４      臀部
９６      腰部
９７      下腹部
９８      みぞおち部分
【図１】
2018204126.tif 000003
【図２】
2018204126.tif 000004
【図３】
2018204126.tif 000005
【図４】
2018204126.tif 000006
【図５】
2018204126.tif 000007
【図６】
2018204126.tif 000008
【図７】
2018204126.tif 000009
【図８】
2018204126.tif 000010
【図９】
2018204126.tif 000011
【図１０】
2018204126.tif 000012
【図１１】
2018204126.tif 000013
【図１２】
2018204126.tif 000014
【図１３】
2018204126.tif 000015
【図１４】
2018204126.tif 000016
【図１５】
2018204126.tif 000017
【図１６】
2018204126.tif 000018
【図１７】
2018204126.tif 000019
【図１８】
2018204126.tif 000020
【図１９】
2018204126.tif 000021
【図２０】
2018204126.tif 000022
【図２１】
2018204126.tif 000023
【図２２】
2018204126.tif 000024
【図２３】
2018204126.tif 000025
【図２４】
2018204126.tif 000026